(57)【要約】  本発明は，バッテリ動作の無線周波識別（ＲＦＩＤ）デバイス及び近距離通信（ＮＦＣ）デバイスの電力節減分野に関し，対応する標準の対応するプロトコルによる２以上のデータ形式に対応する多機能ＮＦＣ／ＲＦＩＤデバイスを運用する方法を提供する。本発明の方法は，前記多機能近距離通信デバイスのコンテキストに関するコンテキスト情報を取得するステップと，前記の取得したコンテキスト情報を用いて外部デバイスと通信する前記多機能近距離通信デバイスの運用モードを選択するステップと，を有する。本発明において前記の選択した運用モードは，対応する標準の対応するプロトコルによる２以上のデータ形式によって通信するための比例値を規定する。前記運用モードは，前記多機能近距離通信デバイスのモードを，対応する標準の対応するプロトコルによる２以上のデータ形式間で，前記比例値によって切り替えるために用いられる。
2009501990.tif 000002
【特許請求の範囲】
【請求項１】
対応する標準の対応するプロトコルによる２以上の近距離通信データ形式に対応する多機能近距離通信デバイスを運用する方法であって，
前記多機能近距離通信デバイスのコンテキストに関するコンテキスト情報を取得するステップと，
前記の取得したコンテキスト情報を用いて，外部近距離通信デバイスと通信する前記多機能近距離通信デバイスの運用モードを選択するステップと，
を有し，
前記多機能近距離通信デバイスの運用を，対応する標準の対応するプロトコルによる前記の対応する２以上の近距離通信データ形式間で比例値によって切り替えるために，前記の選択した運用モードが，対応する標準の対応するプロトコルによる前記の対応する２以上の近距離通信データ形式による通信の前記比例値を規定する方法。
【請求項２】
更新コンテキスト情報を取得するステップと，前記の取得した更新コンテキスト情報を用いて，外部デバイスと通信する前記多機能近距離通信デバイスの前記運用モードを調整するステップと，を更に有する請求項１に記載の多機能近距離通信デバイスを運用する方法。
【請求項３】
前記更新コンテキスト情報を，引き続く処理によって取得する請求項２に記載の多機能近距離通信デバイスを運用する方法。
【請求項４】
前記コンテキスト情報は，前記の対応する通信プロトコルのうち特定の１つを用いて検出したデバイスの周波数を用いて取得することを特徴とする請求項１〜３のいずれか一項に記載の多機能近距離通信デバイスを運用する方法。
【請求項５】
前記コンテキスト情報は，適応期間中に取得され，該期間中にすべての通知したターゲット種別が記録されることを特徴とする請求項１〜４のいずれか一項に記載の多機能近距離通信デバイスを運用する方法。
【請求項６】
前記コンテキスト情報は，位置情報を用いて取得する請求項１〜５のいずれか一項に記載の多機能近距離通信デバイスを運用する方法。
【請求項７】
前記コンテキスト情報は，履歴情報を用いて取得することを特徴とする請求項１〜６のいずれか一項に記載の多機能近距離通信デバイスを運用する方法。
【請求項８】
前記のコンテキスト情報の取得ステップは，無線通信ネットワークから受信したコンテキスト情報を用いることを特徴とする請求項１〜７のいずれか一項に記載の多機能近距離通信デバイスを運用する方法。
【請求項９】
前記の無線通信ネットワークからコンテキスト情報を受信するステップは，
前記無線通信ネットワークへコネクションを設定するステップと，
前記の要求したコンテキスト情報を受信するステップと，
を有することを特徴とする請求項８に記載の方法。
【請求項１０】
前記通信ネットワークへコンテキスト情報要求を送信するステップを更に有することを特徴とする請求項９に記載の方法。
【請求項１１】
無線通信ネットワークに取得したコンテキスト情報を送信するステップを更に有する請求項１〜１０のいずれか一項に記載の方法。
【請求項１２】
コンテキスト情報は，請求項４〜１１に記載の少なくとも２つの異なる前記コンテキスト情報を取得する方法の組合せによって取得することを特徴とする請求項４〜１１のいずれか一項に記載の多機能近距離通信デバイスを運用する方法。
【請求項１３】
無線通信ネットワークに接続した多機能近距離通信デバイスにコンテキスト情報を供給する方法であって，
前記通信ネットワークに接続した多機能近距離通信デバイスを検出するステップと，
前記多機能近距離通信デバイスの測定した位置を少なくとも用いて，前記多機能近距離通信デバイスへコンテキスト情報を送信するステップと，
を有する方法。
【請求項１４】
前記通信ネットワークにおいてコンテキスト情報要求を受信するステップを更に有する請求項１３に記載の方法。
【請求項１５】
無線通信ネットワークと多機能近距離通信デバイスとの間でコンテキスト情報を交換する方法であって，請求項８〜１２，１３又は１４のいずれか一項のステップを少なくとも有することを特徴とする方法。
【請求項１６】
対応する標準の対応するプロトコルによる２以上の近距離通信データ形式に対応する多機能近距離通信デバイスを運用する方法であって，
前記多機能近距離通信デバイスの位置に関する位置データを取得するステップと，
前記の取得した位置データを用いて，外部近距離通信デバイスと通信する前記多機能近距離通信デバイスの運用モードを選択するステップと，
を有する方法。
【請求項１７】
前記多機能近距離通信デバイスの運用を，対応する標準の対応するプロトコルによる前記の対応する２以上の近距離通信データ形式間で比例値によって切り替えるために，前記の選択した運用モードが，対応する標準の対応するプロトコルによる前記の対応する２以上の近距離通信データ形式による通信の前記比例値を規定する請求項１６に記載の方法。
【請求項１８】
前記の対応する通信プロトコルのうち特定の１つを有するデバイスが用いる周波数を検出するステップと，
前記周波数を検出するステップを用いて，外部デバイスと通信する前記多機能近距離通信デバイスの前記運用モードを調整するステップと，
を特徴とする請求項１６又は１７に記載の方法。
【請求項１９】
取得した前記位置情報と，前記の選択した運用モードとを記録することを特徴とする請求項１６〜１８のいずれか一項に記載の方法。
【請求項２０】
選択可能インタフェースを有する記憶カードのインタフェースのコネクション要素を選択することができる方法を実行する計算機プログラム製品であって，選択可能インタフェースを有する記憶カードのコントローラ上で運用したとき請求項１〜１９のいずれか一項に記載のステップを実行する機械可読媒体上に記憶されたプログラムコード部を有する計算機プログラム製品。
【請求項２１】
対応する標準の対応するプロトコルによる２以上の近距離通信データ形式に対応する多機能近距離通信デバイスを運用することができる方法を実行することができるソフトウェアツールであって，前記プログラムを多機能近距離通信デバイスを運用させるコントローラ上で実行する計算機プログラムによって実現したとき，請求項１〜１９のいずれか一項に記載の運用を実行するソフトウェアツール。
【請求項２２】
搬送波内に埋め込まれた計算機データ信号であって，多機能近距離通信デバイスが実行したとき請求項１〜１９のいずれか一項に記載のステップを実行する命令を表す信号。
【請求項２３】
選択可能インタフェースを有する記憶カードのインタフェースのコネクション要素を選択することができる方法を実行する計算機プログラム製品であって，選択可能インタフェースを有する記憶カードのコントローラ上で運用したとき請求項１６〜１９のいずれか一項に記載のステップを実行する機械可読媒体上に記憶されたプログラムコード部を有する計算機プログラム製品。
【請求項２４】
対応する標準の対応するプロトコルによる２以上の近距離通信データ形式に対応する多機能近距離通信デバイスを運用することができる方法を実行することができるソフトウェアツールであって，前記プログラムを多機能近距離通信デバイスを運用させるコントローラ上で実行する計算機プログラムによって実現したとき，請求項１６〜１９のいずれか一項に記載の運用を実行するソフトウェアツール。
【請求項２５】
搬送波内に埋め込まれた計算機データ信号であって，多機能近距離通信デバイスが実行したとき請求項１６〜１９のいずれか一項に記載のステップを実行する命令を表す信号。
【請求項２６】
多機能近距離通信デバイスであって，
対応する標準の対応するプロトコルによる少なくとも２つの近距離通信データ形式によって通信できる近距離通信モジュールであって，
アンテナと，
前記アンテナにそれぞれ接続した受信器及び送信器と，
前記受信器及び前記送信器に接続し，前記受信器及び前記送信器を制御するようにしたコントローラと，
を備えたモジュールと，
前記コントローラに接続したコンテキスト情報取得モジュールと，
を備え，
前記コントローラは，前記多機能近距離通信デバイスの運用を，対応する標準の対応するプロトコルによる前記の対応する２以上の近距離通信データ形式間で比例値によって切り替えるために，対応する標準の対応するプロトコルによる前記の対応する２以上の近距離通信データ形式による通信の前記比例値を規定する前記多機能近距離通信デバイスの運用モードを選択するように構成するデバイス。
【請求項２７】
前記コントローラに接続したセルラ電話機モジュールを更に備える請求項２６に記載の多機能近距離通信デバイス。
【請求項２８】
記憶モジュールを更に備える請求項２６又は２７に記載の多機能近距離通信デバイス。
【請求項２９】
前記記憶モジュール内に履歴情報を記憶するための，前記記憶モジュール及び前記コントローラに接続した記録モジュールを備えることを特徴とする請求項２８に記載の多機能近距離通信デバイス。
【請求項３０】
前記コンテキスト情報取得モジュールは，位置測定モジュールに接続している請求項２６〜２９のいずれか一項に記載の多機能近距離通信デバイス。
【請求項３１】
前記コントローラに接続した周波数検出モジュールを更に備える請求項２６〜３０のいずれか一項に記載の多機能近距離通信デバイス。
【請求項３２】
前記コントローラに接続した無線通信ネットワークモジュールを更に備える請求項２６〜３１のいずれか一項に記載の多機能近距離通信デバイス。
【請求項３３】
前記コントローラに接続したＧＰＳナビゲーションモジュールを更に備える請求項２６〜３２のいずれか一項に記載の多機能近距離通信デバイス。
【請求項３４】
前記コントローラに接続した支払いモジュールを更に備える請求項２６〜３３のいずれか一項に記載の多機能近距離通信デバイス。
【請求項３５】
接続した多機能近距離通信デバイスにコンテキスト情報を供給する無線通信ネットワークであって，
多機能近距離通信デバイスにコネクションを提供する無線インタフェースと，
接続された多機能近距離通信デバイスを検出する手段と，
接続された多機能近距離通信デバイスの位置を測定する手段と，
種々の位置に関連するコンテキスト情報を記憶する記憶コンポーネントと，
接続された多機能近距離通信デバイスの測定した位置に関連するコンテキスト情報をこれらのデバイスに転送する転送ユニットと，
を備える無線通信ネットワーク。
【請求項３６】
無線通信ネットワークに接続した多機能近距離通信デバイスにコンテキスト情報を供給するシステムであって，
請求項２６〜３４のいずれか一項に記載の多機能近距離通信デバイスと，
請求項３５に記載の無線通信ネットワークと，
を備えるシステム。
【請求項３７】
多機能近距離通信デバイスであって，
対応する標準の対応するプロトコルによる少なくとも２つの近距離通信データ形式によって通信できる近距離通信モジュールであって，
アンテナと，
前記アンテナにそれぞれ接続した受信器及び送信器と，
前記受信器及び前記送信器に接続し，前記受信器及び前記送信器を制御するようにしたコントローラと，
を備えたモジュールと，
前記コントローラに接続した位置データ取得モジュールと，
を備え，
前記コントローラは，前記の取得した位置データを用いて外部近距離通信デバイスと通信するために前記多機能近距離通信デバイスの運用モードを選択するように構成するデバイス。
【請求項３８】
前記コントローラは，前記多機能近距離通信デバイスの運用を，対応する標準の対応するプロトコルによる前記の対応する２以上の近距離通信データ形式間で比例値によって切り替えるために，対応する標準の対応するプロトコルによる前記の対応する２以上の近距離通信データ形式による通信の前記比例値を規定する前記多機能近距離通信デバイスの運用モードを選択するように構成する請求項３７に記載の多機能近距離通信デバイス。
【請求項３９】
前記コントローラに接続した周波数検出モジュールを更に備え，
前記周波数検出モジュールは，前記の対応する通信プロトコルのうち特定の１つを有するデバイスが用いる周波数を検出するように構成し，前記コントローラは検出した周波数を用いて，外部デバイスと通信する前記多機能近距離通信デバイスの前記運用モードを調整するように構成する請求項３７又は３８に記載の多機能近距離通信デバイス。
【請求項４０】
前記コントローラに接続したセルラ電話機モジュールを更に備える請求項３７〜３９のいずれか一項に記載の多機能近距離通信デバイス。
【発明の詳細な説明】
【技術分野】
【０００１】
本発明はバッテリ動作無線デバイスの電力節減分野に関する。より特定すれば本発明は，無線の「多機能な」ＲＦＩＤ（無線周波識別）デバイス及びＮＦＣ（近距離通信）デバイスにおける，位置又はコンテキスト依存の電力節減方法に関する。
【背景技術】
【０００２】
「多機能」と言う用語は，ＲＦＩＤリーダとして動作することができ，更にＲＦＩＤタグを模擬することができ，また更にＲＦＩＤタグとＲＦＩＤリーダとの間のデータ送信に類似して，別のＲＦＩＤ「多機能デバイス」とデータ交換を行うために用いることができるＲＦＩＤデバイスを指すために用いるものとする。
【０００３】
バッテリ動作無線デバイスにおいては，電力節減は非常に重要な問題である。移動体端末は，いくつかの異なる無線インタフェースを備えた多重無線デバイスに変化しつつあるので，電力節減の重要性は益々重要になっている。追加された無線インタフェースがそれぞれいくらかのエネルギを消費し，端末のバッテリの限られた資源に掛かる負荷が増大している。
【０００４】
移動体端末の動作時間を合理的な水準に保つために，端末に追加された新規無線インタフェースはそれぞれ，電力消費要求条件の観点で最適化する必要がある。
【０００５】
ＲＦＩＤ環境はそれ自体極めて細分化されており，例えばＩＳＯ１４４４３Ａ及びＢ，フィリップス（登録商標）Ｍｉｆａｒｅ（登録商標），ソニー（登録商標）ＦｅｌｉＣａ（登録商標），ＥＣＭＡ−３４０，ＩＳＯ１５６９３，ＥＣＭＡ−３５２のようないくつかの重複する技術及びプロトコルがある。
【０００６】
したがってＲＦＩＤデバイスを備えた移動体端末デバイスの動作を最適化するために，デバイスは，良好なユーザ体験を提供し，ＲＦＩＤタグ及び対応するサービスの推進を可能にするために環境に現存する種々のタグの少なくとも主要部分に対応しなければならない。
【０００７】
多機能ＮＦＣ／ＲＦＩＤリーダ／ライタデバイスは，例えば次に掲げるような種々の既存のデータ形式と，技術と，プロトコルとに対応することが望ましい。
・フィリップス（登録商標）Ｍｉｆａｒｅ（登録商標）タグ適合通信プロトコル
・ソニー（登録商標）ＦｅｌｉＣａ（登録商標）タグ適合通信プロトコル
・ＮＦＣピア−ツ−ピア適合通信プロトコル
・ＩＳＯ１４４４３適合通信プロトコル
【０００８】
これは従来環境においては，多機能ＮＦＣ／ＲＦＩＤリーダ／ライタは，上記プロトコルすべてに対応するためにいくつかのスキャンを実行しなければならないことを意味する。
【０００９】
現在種々のＮＦＣ／ＲＦＩＤデバイスが当業において既知である。
【００１０】
ＷＯ２００５３８６９６においては，移動体端末と連携するＲＦＩＤの電力消費を調整する方法と，端末と，計算機プログラム製品と，が開示されている。この方法は，ＲＦＩＤリーダと連携する移動体端末のコンテキストを判定し，少なくとも１つの前のコンテキスト判定に対するコンテキスト判定を用いてＲＦＩＤリーダの電力消費を調整する。ＲＦＩＤリーダの電力消費は，移動体端末のコンテキストに何の変化も判定されなかったときは減少するかも知れない。ＲＦＩＤリーダによる電力消費調整によって，ＲＦＩＤリーダと連携する移動体端末において電力を保存することができ，ＲＦＩＤリーダ電源の充電又は交換なしに，より長い運用が可能になる。
【発明の開示】
【発明が解決しようとする課題】
【００１１】
バッテリ動作無線「多機能」近距離通信デバイスにおいて，電力節減の新しい方法を可能にすることが望まれる。
【００１２】
また，ＲＦＩＤリーダ／ライタを移動体端末に統合し，移動体端末運用時間を受け入れ可能な水準に保つために，ＲＦＩＤリーダ／ライタモジュールの電力消費を最適化することが望まれる。
【課題を解決するための手段】
【００１３】
本発明の第１態様によれば，対応する標準の対応するプロトコルによる２以上のデータ形式に対応する多機能近距離通信デバイスを運用する方法が提供される。本発明の方法は，多機能近距離通信デバイスのコンテキストについてのコンテキスト情報を取得するステップから始まり，上記の取得したコンテキスト情報を用いて，外部デバイスと通信する多機能近距離通信デバイスの運用モードを選択するステップに続く。選択された運用モードは，上記多機能近距離通信デバイスの運用を，（対応する標準の対応するプロトコルによる）上記の対応する（２以上の）近距離通信データ形式間で比例値によって切り替えるために，対応する標準の対応するプロトコルによる上記の対応する２以上の近距離通信データ形式による通信の上記比例値を規定する。
【００１４】
すなわち本発明は，利用可能な近距離通信デバイスの種別を判定するように努め，各利用可能な近距離通信デバイスの種別の数を推定又は判定することができ，それに従って各利用可能な近距離通信デバイスの種別に関する「通信時間（ａｉｒ  ｔｉｍｅ）」を適応させることができる。例えばデバイスが対応する標準の対応するプロトコルによる５つの異なるデータ形式に対応し，これらデータ形式のうち２つだけが検出されたとき，デバイスはそのＮＦＣをこれら２つの判定されたデータ形式だけに限定する。また第２ステップにおいてデバイスは，上記種別が出現する比例値によって上記種別それぞれの通信時間を適応させるために，上記の利用可能な近距離通信デバイスの種別のうちいくつが利用可能かを決定してもよい。
【００１５】
本発明は２つの別の目的に用いることができる。第１の目的は，すべての実際に利用可能なＮＦＣデバイスにできるだけ多くの通信時間を与えることによって通信品質を向上させることにある。第２の目的は，利用できないか又は利用できないことが予想されるデバイスには接続設定手続を減少させることによって電力を節減することにある。
【００１６】
すべての利用可能なＮＦＣ／ＲＦＩＤ通信時間が利用可能なデバイスだけの接続に用いられるときは，すべての利用可能な情報を読み出すために必要な時間，又はある所望のＮＦＣ／ＲＦＩＤコネクションを探し，設定するために必要な時間が大幅に減少される。またこの方法は，ある所望のコネクションが設定されるか，又はあるＮＦＣ／ＲＦＩＤサービスが用いられるかするまで通信時間を減少させ，それで必要な送信時間を減少させ，したがって移動体デバイスの必要なバッテリ電力を減少させる。
【００１７】
以降の記載において「多機能」という表現は，ＲＦＩＤリーダとして運用でき，ＲＦＩＤタグを模擬することができ，かつ更にＲＦＩＤタグとＲＦＩＤリーダとの間のデータ送信と類似して，別の「多機能デバイス」とデータ交換を行うために用いることができるＮＦＣ／ＲＦＩＤデバイスを指すものとする。また「多機能」という表現は，種々のデータ形式と，種々の通信プロトコルと，種々の標準とを用いて，種々の近距離通信デバイスと通信することができるデバイスを意味してもよいものとする。またＲＦＩＤ多機能デバイスは，ＲＦＩＤタグを模擬することもできる。
【００１８】
すなわち取得するコンテキストは，例えば多機能近距離通信デバイスが起動される前又は起動されたときに適切な「運用モード」を選択するために用いる位置情報などを含んでもよい。多機能近距離通信デバイスの起動は例えば，ユーザインタフェースからのユーザコマンドの受信を含むトリガに応答して行ってもよいし，又は所定のトリガ事象を検出した際のＮＦＣモジュールの自動起動に応答して行ってもよい。
本発明においては，遅延期間の利用も方法に含まれることを明言してもよい。遅延期間は，通常の遅延期間及び専用の遅延期間の利用を含んでもよい。
【００１９】
本発明の別の実施例においては，方法は更に更新されたコンテキスト情報を取得するステップと，上記の取得した更新されたコンテキスト情報を用いて外部デバイスと通信する多機能近距離通信デバイスの上記の運用モードを調整するステップとを有する。
【００２０】
この実施例は，多機能近距離通信デバイスがある時間活性であった後に，更に運用モードを調整又は変更さえするために，ＮＦＣ／ＲＦＩＤインタフェースを介して情報を受信する問題に関する。
【００２１】
本発明の更に別の例示実施例においては，上記の更新されたコンテキスト情報は，そのコンテキスト情報が別の処理に伴って取得される。
【００２２】
本実施例は，多機能近距離通信デバイスが例えば位置情報サービスを介して「初期」コンテキスト情報を取得する第１手続を用い，実際に利用可能なデータによって運用モードを選択する適応的な方法で運用される，特別な場合に関する。例えば多機能近距離通信デバイスは，ネットワークから受信した情報を用いて第１運用モードを選択してもよい。上記の第１運用モードにおいて多機能近距離通信デバイスは，第２運用モードの方がより適切であることを検出し，第１運用モードから第２運用モードに変更する。第１運用モードは，時間又は位置情報を用いて選択してもよいし，若しくは例えば通信ネットワークから受信した情報を用いて選択してもよい。第２運用モードは，実際に測定したデータトラヒック，検出された近隣のＮＦＣ／ＲＦＩＤデバイスの数，ほかの端末から受信したデータ（及び／又は時間，位置情報，又は例えば通信ネットワークから受信した情報）を用いて選択してもよい。
【００２３】
したがって換言すれば，端末コンテキストを用いて適切な運用モードが選択され，その運用モードは，ＲＦＩＤ通信モジュールの起動時かつある時間運用した後に，ＲＦＩＤインタフェースを介して受信した情報を用い，かつ恐らくは（同一又は別の）端末コンテキストも用いて，調整することができる。
【００２４】
本実施例，例えばプロトコルを無視するデバイスによれば，「エリアにない（not-in-area）」デバイスは完全に無視され，本実施例においてデバイスは「エリアにない」プロトコルに対応するタグを検出しないが，電力節減によって多くの利益を得る。別の実施例によれば，「エリアにない」プロトコルを頻繁に用いなくてもよいが，それで「エリアにない」プロトコルに対応するタグを検出するいくらかの確率があり，電力節減の利益はより小さい。この問題を処理する正しい方法は単に設計事項であり，例えば端末の終了などを含む運用モードの適応に影響を与えるか，又はリセットするかも知れないいくつかのトリガが常にあることが望ましい。「エリアにない」プロトコルを頻繁に用いないこの実施例は，たとえ「Ｍｉｆａｒｅ（登録商標）だけ」というコンテキスト情報を有していても，近づいてくる例えば「ＦｅｌｉＣａ（登録商標）デバイス」のＮＦＣを検出することもできる。
【００２５】
本発明の例示実施例においては，上記コンテキスト情報は，対応する通信プロトコルを用いているデバイスの検出した周波数を用いた判定によって取得される。
【００２６】
すなわちデバイスは，ＮＦＣ／ＲＦＩＤデバイスが恐らく用いる周波数を受動的に検出することだけに依存して，ある種別のＮＦＣ／ＲＦＩＤデバイスが無線到達距離内にあるかどうかを判定してもよい。また用いられている周波数の検出と以前の（ウェークアップ又は同報）信号とを結合して，例えばＲＦＩＤタグ及びトランスポンダが返信メッセージを送信するようにすることも可能である。
【００２７】
本発明の別の例示実施例においては，上記のコンテキスト情報は適応期間中に取得され，その期間中にすべての通知されたターゲット種別が記録される。また本方法は，宣言した適応期間を有してもよく，その期間中にすべての通知されたターゲット種別が記録され，その後は適応期間中に見付かったターゲットだけが問い合わせを受ける。適応期間は，ユーザが開始，すなわち起動することができる。位置の変更又はローミング状況の変更もまた，例えば適応期間を開始することができる。例えば帰属ネットワーク外にローミングすると自動的に適応期間が開始される。（宣言した）適応期間の長さは，固定でもよいし，可変でもよい。固定適応期間は，実現が容易であるという利点がある。可変適応期間は，２〜３の無線信号があるだけの場合上記の期間無線トラヒックを減少させることによってエネルギを節約することができるという利点を有している。
【００２８】
更に別の例示実施例においては，上記コンテキスト情報は位置情報を用いて取得される。本実施例においては，コンテキスト情報の取得にデバイスの位置を用いる。本実施例は特に，ＮＦＣ／ＲＦＩＤデバイスが別のエリアに分布する環境で用いることができる。例えば第１種ＲＦＩＤタグ及びデバイスは，恐らくアジアにおいて主流になり，一方別の種別のＲＦＩＤタグ及びデバイスは恐らくヨーロッパにおいて主流になる。したがって換言すれば，電源投入後デバイスは位置情報（この情報はセルラ電話ネットワーク又は構内ネットワークから，若しくは別の手段によって取得することができる）を取得し，このデバイスがある現在の位置を特定することができる。この位置情報は本発明の実施例によれば，単に国でもよいし，１ｍ四方でさえもよい。いずれにしろ端末は，種々のプロトコルの走査周波数に用いられるように，位置情報を含むデータベース及び対応する命令セットを必要とする。本実施例においては，デバイスが実際にはアフリカにあるときに，例えばインドにおいてだけ用いられる標準のデバイスを探す必要はない。類似してデバイスが，ある一種類のＮＦＣ／ＲＦＩＤだけが現在職場又は家庭にあることを判定したときは，これら環境においてはほかの種別のＮＦＣ／ＲＦＩＤデバイスを探す必要はない。
【００２９】
この実施例の方法は，位置情報を取得するステップと，（前の事象で取得された）コンテキスト情報について位置／コンテキスト情報データベースを参照するステップと，上記データベースに記憶された対応する値を用いて規定された比例値によって運用モードを選択するステップと，を有する。上記位置／コンテキスト情報データベースの利用は，あるエリアの制約をときどき判定すればよく（検索のための大きな電力消費を含み，すべてのプロトコルと，標準と，周波数範囲において），一方移動体通信デバイスの実際の位置の測定は，例えば通信ネットワークによって無料で行われるという利点がある。また，多機能近距離通信デバイスの位置を特定するために，例えばセルラ電話ネットワークの無線基地局の識別情報を用いることも考えられる。
【００３０】
また，位置情報を取得するために，専用ＧＰＳ（全地球測位システム）モジュールを利用することも考えられる。この実施例は，例えば携帯電話機又はコミュニケータのようなＧＰＳ機能を有する移動体デバイスにおける利用に特に便利である。
【００３１】
空間及び時間の４次元環境においては，「時間位置」を用いたコンテキスト情報取得システムを実現することも考えられることを注記することができる。そのようなシステムにおいてデバイスは，時間位置と種々の時間方式（分，時，日，曜日，週，月，月齢，季節，又は年）とのある相関を測定して，コンテキスト情報を判定する基準として使うことができる時間とコンテキスト情報との強い相関を測定することができる。これは，時間位置と空間位置とに相関があるために可能であって，この相関を上記所望のコンテキスト情報を取得するために用いることができる。この実現例には，実現が非常に容易であるという利点がある。
【００３２】
本発明の方法の別の例示実施例においては，上記コンテキスト情報は履歴情報を用いて取得される。この実施例は，コンテキスト情報を簡単に利用するために用いることができる。例えば，いつユーザが既知のコンテキスト情報を有する既知の環境にいるか判定するために，簡単な時刻表を用いることが考えられる。多機能近距離通信デバイスをコンテキスト情報を用いて完全に運用するためには，例えば５分の時間解像度を有する７日間のデータベースと，５分‐７日分の「基本環境」すなわちコンテキスト情報集合の記憶容量を実現すれば十分である。
【００３３】
この環境は初期の位置を用いた運用に加えて実現することができ，端末もまた環境を感知し，データベースのある種の履歴による記録又は更新を継続して，利用通信プロトコルの最適化を更に強化できる。したがって例として，デバイスがある位置に以前あって，第１標準のＲＦＩＤタグのようなある種別のデバイスだけが検出されたとき，第２標準のＲＦＩＤタグを検出する動作は，ときたま走査を行うだけになる。端末は，指示されない限り第１標準のＲＦＩＤタグ以外は，（このエリアにおいては）走査しないでもよい。また簡単な統計を有する履歴データベースを用いることも考えられ，頻繁には移動しないデバイス，又は多くの種々の位置へは移動しないデバイスには，それだけでも非常に価値がある。デバイスが帰属ネットワーク内に長期間あって，第３標準のＮＦＣ／ＲＦＩＤデバイスは何も検出されなかったときは，この第３ＮＦＣ／ＲＦＩＤ標準によってすべての問い合わせを少しでも縮小することができ，したがって電力を節減できる。デバイスが帰属環境に戻ったときは，この第３ＮＦＣ／ＲＦＩＤ標準によってすべての問い合わせを停止させ，したがって履歴データベースに記憶された情報によって，電力を節減することができる。
【００３４】
本発明のまた別の実施例においては，上記コンテキスト情報を取得する上記のステップは，無線通信ネットワークから受信したコンテキスト情報を用いる。
【００３５】
無線通信ネットワークは，構内又は広域の無線通信ネットワーク（ＬＡＮ又はＷＡＮ）であってもよい。無線通信ネットワークは，公衆無線通信ネットワークであってもよい。無線通信ネットワークは，私設通信ネットワークであってもよい。無線通信ネットワークは，無線データ通信ネットワークであってよい。無線通信ネットワークはまた，セルラ電話ネットワークであってもよい。
【００３６】
本発明の別の例示実施例においては，無線通信ネットワークからコンテキスト情報を受信する上記ステップは，無線通信ネットワークへコネクションを設定するステップと，上記の要求したコンテキスト情報を受信するステップと，を含む。
【００３７】
上述の実施例に加えて，ここでネットワークは能動的な役割を果たすことができる。すなわちネットワークは，デバイスの現在位置においてどのターゲット（ＮＦＣ／ＲＦＩＤ）技術及び標準が展開されているかについてデバイスにヒントを同報する機構を含むことができる。この情報は，例えば国又は移動体通信国符号（ＭＣＣ），ネットワーク又は移動体ネットワーク符号（ＭＮＣ），位置エリア又は位置エリア符号（ＬＡＣ），若しくはセルラ電話ネットワークの場合単一セルデータ，を含むことができる。例えばネットワークは移動機に，この国（ＭＣＣ）では次の技術，すなわち，ＦｅｌｉＣａ（登録商標），ＩＳＯ１４４４３Ｂが用いられており，一方Ｍｉｆａｒｅ（登録商標）は存在が知られていないことを伝えることができる。又は特に実際のセルは，ＦｅｌｉＣａ（登録商標）標準による通信ができるデバイスだけを有することを伝えることができる。
【００３８】
また本発明の別の例示実施例においては，本方法は上記通信ネットワークへコンテキスト情報要求を送信するステップを更に有する。この実施例においては，多機能近距離通信デバイスは通信ネットワークに所望のコンテキスト情報（すなわち例えば位置情報）を能動的に問い合わせる。セルラ電話ネットワークの無線基地局に専用コンテキスト情報要求を送信するステップは，これを実行することができる。また，あるセルにおいて利用可能なすべてのＮＦＣ／ＲＦＩＤデータ形式と，プロトコルと，標準と，に関するすべての利用可能性情報を記憶する専用ネットワークサーバを提供することもできる。また，「ＮＦＣ／ＲＦＩＤデータ形式プロトコル及び標準地図」を提供できるように，例えば三角測量法を用いて解像度を増加させることも考えられる。デバイスは，通信ネットワーク内のサーバに対応する情報を要求してもよい。
【００３９】
本発明の別の例示実施例においては，方法は更に，取得したコンテキスト情報を無線通信ネットワークへ送信するステップを有する。上述の例示実施例に類似して，通信ネットワークは公衆又は私設のＬＡＮ，ＷＬＡＮ，ＷＡＮ又はＷＷＡＮであってよい。取得したコンテキスト情報は，ＬＡＮ又はＷＡＮへ特別サービスとしてアップロードすることができる。ＷＡＮはこれらのアップロードデータを用いてＮＦＣ／ＲＦＩＤ地図サーバのデータを更新することができる。
【００４０】
また，ネットワークサーバが端末デバイス（又は多機能近距離通信デバイス）にサービス発見ルーチンを実行して，ＮＦＣ／ＲＦＩＤ地図サーバのフィールドセンサとして動作するすべての種別の利用可能なＮＦＣ／ＲＦＩＤデバイスを検索するように要求できることも考えられる。
【００４１】
すなわちネットワークは，どのターゲット種別が読み出されたかに関して端末から情報を受信するという意味で，適応型である。ネットワークは，前に端末が行った観測を用いて，ほかの端末に送信するメッセージを変更することができる。
【００４２】
本発明のまた別の例示実施例においては，コンテキスト情報は上記コンテキスト情報を取得する方法の組合せによって取得される。すなわち端末は，所望のコンテキスト情報を取得する手段の組合せに依存してもよい。例えば上記運用モードを選択する基準として，履歴データベースを位置情報と組み合わせて用いることが考えられる。
【００４３】
本発明の別の態様によれば，無線通信ネットワークに接続した多機能近距離通信デバイスにコンテキスト情報を供給する方法が提供される。この方法は，通信ネットワークに接続した多機能近距離通信デバイスを検出するステップと，コンテキスト情報を送信するステップと，を有する。この実施例においては，ネットワーク（又はそのネットワーク内のサーバ）は多機能デバイスへのコネクションが検出された場合，コンテキスト情報を自動的に送信する。このサービスは端末デバイスに接続された一種のプッシュサービスであって，特別な位置において実際に利用可能なＮＦＣ／ＲＦＩＤデバイスの数及び種別のようなコンテキスト情報を提供する。
【００４４】
本発明の例示実施例において方法は，上記通信ネットワークへのコンテキスト情報要求を受信するステップを更に有する。この実施例においてネットワークは，多機能近距離通信デバイスが実際にそのようなコンテキスト情報の送信を要求したかどうかの情報の提供元として動作するだけである。
【００４５】
また，ネットワークから多機能近距離通信デバイスへコンテキスト情報要求を送信して，デバイスが実際のコンテキスト情報を更新又は検証するように依頼することも考えられる。この実際のコンテキスト情報の更新又は検証は，デバイスが適合するＮＦＣ／ＲＦＩＤデータ形式と，プロトコルと，標準とのそれぞれに関して，デバイス発見手続を開始することによって実行することができる。
【００４６】
本発明の別の態様によれば，対応する標準の対応するプロトコルによる２以上の近距離通信データ形式に対応する，多機能近距離通信デバイスを運用する方法が提供される。この方法は，上記の多機能近距離通信デバイスの位置についての位置データを取得するステップと，上記の取得した位置データを用いて外部近距離通信デバイスと通信するために上記多機能近距離通信デバイスの運用モードを選択するステップと，を有する。
【００４７】
本発明の例示実施例においては，上記多機能近距離通信デバイスの運用を，対応する標準の対応するプロトコルによる上記の対応する２以上の近距離通信データ形式間で比例値によって切り替えるために，上記の選択した運用モードが，対応する標準の対応するプロトコルによる上記の対応する２以上の近距離通信データ形式による通信の上記比例値を規定する。
【００４８】
本発明の別の例示実施例において上記方法は，上記の対応する通信プロトコルのうち特定の１つを有するデバイスが用いる周波数を検出するステップと，上記周波数を検出するステップを用いて，外部デバイスと通信する上記多機能近距離通信デバイスの上記運用モードを調整するステップと，を更に有する。
【００４９】
本発明のまた別の例示実施例においては，取得した上記位置情報及び選択された上記運用モードが記録される。
【００５０】
本発明の別の態様によれば，無線通信ネットワークと多機能近距離通信デバイスとの間でコンテキスト情報を交換する方法が提供される。この方法は，コンテキスト情報を通信ネットワークから前述の明細書に記載の多機能近距離通信デバイスへコンテキスト情報を転送する方法に関連して，多機能近距離通信デバイスを運用する上記の方法のステップを組み合わせる。
【００５１】
本発明のまた別の態様によれば，計算機プログラム製品であって，上記プログラム製品を多機能近距離通信デバイス上で実行したとき，前の説明の対応する標準の対応するプロトコルによる２以上の近距離通信データ形式に対応する多機能近距離通信デバイスを運用することができる方法を実行することができる，計算機可読媒体上に記憶されたプログラムコード手段を有する計算機プログラム製品が提供される。
【００５２】
本発明のまた別の態様によれば，ソフトウェアツールであって，上記プログラム製品を多機能近距離通信デバイス又はネットワークデバイス上で実行したとき，前の説明の対応する標準の対応するプロトコルによる２以上の近距離通信データ形式に対応する多機能近距離通信デバイスを運用することができる方法を実行することができるプログラムコード手段を有するソフトウェアツールが提供される。
【００５３】
本発明の別の態様によれば，計算機データ信号が提供される。この計算機データ信号は搬送波に埋め込まれ，プログラムを表す。このプログラムは，多機能近距離通信デバイス又はネットワークデバイス上で動作すると，前の説明で開示したとおりの対応する標準の対応するプロトコルによる２以上のデータ形式に対応する多機能近距離通信デバイスを運用する方法を実行する。
【００５４】
本発明のまた別の態様によれば，多機能近距離通信デバイスが提供される。この多機能近距離通信デバイスは，対応する標準の対応するプロトコルによる少なくとも２つのデータ形式によって通信することができる通信モジュールを備える。この（ＮＦＣ／ＲＦＩＤ）通信モジュールは，アンテナと，それぞれ上記アンテナに接続された受信器及び送信器と，上記受信器及び上記送信器に接続され，上記受信器及び上記送信器を制御するようになっているコントローラと，を備える。この通信モジュールのコントローラは，コンテキスト情報取得モジュールに接続されている。
【００５５】
このコントローラは，前記多機能近距離通信デバイスの運用を，対応する標準の対応するプロトコルによる前記の対応する２以上の近距離通信データ形式間で比例値によって切り替えるために，対応する標準の対応するプロトコルによる前記の対応する２以上の近距離通信データ形式による通信の前記比例値を規定する前記多機能近距離通信デバイスの運用モードを選択するように構成されている。
【００５６】
対応する標準の対応するプロトコルによる２以上のデータ形式が，１組の受信器及び送信器が扱うことができない別々の無線周波を用いているときは，デバイスは追加の受信器及び送信器を提供できることを特記することができる。また，対応する標準の２つのプロトコルの少なくともデータ形式によって通信することができる単一受信器及び単一送信器を用いることもできる。
【００５７】
受信器及び送信器は，１つの統合送受信器として実現してもよいし，共通の発振器を有する送受信器コンポーネント及び制御コンポーネントとして実現してもよい。
【００５８】
すなわち本発明は，本発明の方法を実行することができる多機能近距離通信デバイスを提供する。
【００５９】
例示実施例において上記多機能近距離通信デバイスは，近距離通信コントローラに接続されたセルラ電話機モジュールを更に備える。この実施例は，多機能近距離通信機能を有するセルラ電話機である。この実施例は，セルラ電話機の例えば位置（例えばセル）に関連する（ＮＦＣ／ＲＦＩＤ）コンテキスト情報をダウンロードするために，例えばセルラ電話ネットワーク内のサーバへのコネクションを用いることができる。
【００６０】
本発明の別の実施例において上記多機能近距離通信デバイスは，上記近距離通信コントローラに接続された記憶モジュールを更に有する。この記憶モジュールは例えば，（ＮＦＣ／ＲＦＩＤサービス又はデバイスの）発見手続を容易にできるように，パラメータをコンテキスト情報と関連付ける関連表を記憶するために用いることができる。コンテキスト情報を取得するために必要な（エネルギ及び資源の）消費は，いくつかのＮＦＣ／ＲＦＩＤサービス又はデバイスの発見手続を実行するために必要な（エネルギ及び資源の）消費よりもずっと少ない。
【００６１】
この実施例は，例えば位置情報をコンテキスト情報としてセルラ電話ネットワークによって直接測定するために用いることができる。本発明を実施するためにこの実施例においては，例えば各無線基地局の識別情報を，利用可能なＮＦＣ／ＲＦＩＤデータ形式と，プロトコルと，標準とのリストに関連させる参照テーブルを構築すれば十分である。
【００６２】
本発明のまた別の実施例においては，上記多機能近距離通信デバイスは，上記記憶モジュール内に履歴情報を記憶させるための，上記記憶モジュール及び上記コントローラに接続された記録モジュールを備える。
【００６３】
この実施例は，コンテキスト情報（及び利用可能なＮＦＣ／ＲＦＩＤデバイスの種別）の利用を容易にするための履歴データベースの設定を可能にする。上記記録モジュールは，非常に簡単に取得できるパラメータと，多機能近距離通信デバイス（ＭＮＦＣＤ）の運用モードを制御する利用可能なＮＦＣ／ＲＦＩＤデバイスの種別との間の強い相関を測定するために用いることができるデータベースを構築することができる。
【００６４】
また別の例示実施例においては，上記ＭＮＦＣＤの上記コンテキスト情報取得モジュールは，位置測定モジュールに接続されていてもよい。この位置測定モジュールは，例えばＧＰＳ（全地球測位システム），ＧＬＯＮＡＳ（全地球航行システム），Ｇａｌｉｅｏ，又はＵＭＴＳモジュールでさえもよい。このモジュールは，位置エリアにおいて種々の種別のＮＦＣ／ＲＦＩＤデバイスを利用できるようにするコンテキスト情報として，デバイスが１次元から４次元のデバイス位置を測定できるようにする。
【００６５】
本発明のまた別の例示実施例においては，上記ＭＮＦＣＤは上記コントローラに接続された周波数検出モジュールを更に備える。
【００６６】
この周波数検出モジュールは，用いられている周波数によってＮＦＣ／ＲＦＩＤデバイスを見分けるために用いることができる。この実施例は，別の周波数範囲を用いるＮＦＣ／ＲＦＩＤデバイスを検出又は見分けるためにだけ用いることができることをはっきりさせることが望ましい。この実施例は，ある周波数を検出するための受信器の動作が，ＮＦＣ／ＲＦＩＤサービス又はデバイス発見手続における送信器及び受信器の動作よりも電力消費が少ないことを用いている。
【００６７】
本発明のまた別の例示実施例においては，上記ＭＮＦＣＤは上記近距離通信コントローラに接続された無線通信ネットワークモジュールを更に備える。このモジュールは，セルラ電話ネットワークモジュール，ＷＬＡＮモジュール，又はＢｌｕｅｔｏｏｔｈ（登録商標）モジュールでさえもよい。これらのネットワークはすべて，ＭＮＦＣＤのある運用モードを選択する基準となるコンテキスト情報として用いることができる，少なくとも位置情報の供給元として働くことができる。
【００６８】
本発明の更なる態様によれば，接続されたＭＮＦＣＤにコンテキスト情報を供給する無線通信ネットワークが提供される。この無線通信ネットワークは，無線インタフェースと，検出回路と，測定回路と，記憶コンポーネントと，転送ユニットと，を備える。上記無線インタフェースは，ＭＮＦＣＤへのコネクションを提供するようになっている。この無線インタフェースは，送受信器及びアンテナとして実現することができる。上記検出回路は，上記無線インタフェースを介して接続されたＭＮＦＣＤを検出するために提供される。上記測定回路は，接続されているＭＮＦＣＤの位置を測定するために提供される。この測定回路は，信号強度評価コンポーネントを備えることができ，また三角測量ユニットを備えてもよく，そして信号実行時評価コンポーネントを備えてもよい。上記記憶コンポーネントは，別々の位置に関連するコンテキスト情報を記憶することができる。上記転送ユニットは，接続されたＭＮＦＣＤの以前に測定された位置に関連するコンテキスト情報を転送するために提供される。
【００６９】
簡単な実施例においては，上記記憶コンポーネントは別々の位置と，これらの位置において利用可能なＮＦＣ／ＲＦＩＤデバイスとの関連を記憶してもよい。この簡単な実施例においては，ＭＮＦＣＤに転送することができるコンテキスト情報は，利用可能又は接続可能なＮＦＣ／ＲＦＩＤデバイスの単なるリストであってもよい。
【００７０】
この段階において，多機能デバイスが検出された場合ネットワークは，自動的にコンテキスト情報を送信してもよい。
【００７１】
より高機能なネットワーク実施例においては，多機能近距離通信デバイスから要求を受信したときネットワークは，コンテキスト情報を送信するだけでよい。更に高機能なネットワークは，ＭＮＦＣＤが要求した位置に関して利用可能なＮＦＣ／ＲＦＩＤデバイス又はサービスのようなコンテキスト情報を送信できるものであってよい。
【００７２】
すなわち本発明は，本発明の方法を実行することによって接続されたＭＮＦＣＤへコンテキスト情報を供給する無線通信ネットワークを提供する。
【００７３】
また別の例示実施例において上記ＭＮＦＣＤは，上記コントローラに接続されたＧＰＳナビゲーションモジュールを更に備える。
【００７４】
この惑星上の現在位置を測定するために，ＧＰＳ，ＧＬＯＮＡＳ，携帯電話通信システムのセルを用いたナビゲーションシステム，又は（計画中の）Ｇａｌｉｌｅｏシステムのようなナビゲーションシステムの実現例を用いることができる。ある（例えば現在の）位置からいくつかの目標物を経由して第２の位置へある経路を設定するために，地図データベースを有するナビゲーションシステムを用いることもできる。通信ネットワーク内のサーバを利用することができるデバイス内に実装したとき本発明は，上記第１の位置から上記第２の位置へある経路を計算し，すべての（関連する）経路点のすべての（関連する）コンテキスト情報をダウンロードするために用いることができる。すなわちＭＮＦＣＤは，計算した経路に沿った３点（ｔｒｉｏ）に必要なすべてのコンテキスト情報の地図をダウンロードすることができる。すなわちこのデバイスは，通信ネットワークへの永続的な接続が保証されないときでさえ，コンテキスト情報を用いることができる。
【００７５】
本発明のまた別の更なる例示実施例においては，上記ＭＮＦＣＤは上記コントローラに接続された支払いモジュールを更に備える。この支払いモジュールを用いて，デバイスは自動販売機，通行料金支払機などの利用のようなあるサービスの支払いに用いることができる。
【００７６】
ナビゲーションモジュールと結合した実施例においては，ナビゲーションシステムがある経路を計算し，通信ネットワークへのインタフェースが，計算した経路に関するすべての関連するコンテキストデータを供給することができる。いくつかの経路点に関するコンテキストデータを予め記憶させることもできるかも知れない。特に自動車道の利用に課金する国に関しては，ナビゲーションシステムは特別なＭｉｆａｒｅ（登録商標）又はＦｅｌｉＣａ（登録商標）通行料金支払いシステムを提供するという更なる利点がある。またこの実施例は，「通行料金支払いのための前払いシステム」を提供することができ，ここでナビゲーションシステムは経路を計算し，コンテキスト情報は通信ネットワークからダウンロードされ，端末はＮＦＣ／ＲＦＩＤ接続を介して支払いができるように，支払いシステムを備える。
【００７７】
本発明の別の態様によれば，無線通信ネットワークに接続されたＭＮＦＣＤへコンテキスト情報を提供するシステムが提供される。このシステムは前述の明細書に開示された少なくとも１つのＭＮＦＣＤと，前述の明細書に記載の無線通信ネットワークを備える。
【００７８】
すなわち本発明は，本発明の方法を実行することができる無線通信ネットワークに接続されたＭＮＦＣＤへコンテキスト情報を供給するシステムを提供する。
【００７９】
本発明の別の態様によればＭＮＦＣＤが提供される。ＭＮＦＣＤは，対応する標準の対応するプロトコルによる少なくとも２つの近距離通信データ形式によって通信することができる近距離通信モジュールを備える。この近距離通信モジュールは，アンテナと，それぞれ上記アンテナに接続された受信器及び送信器と，上記受信器及び上記送信器に接続され，上記受信器及び上記送信器を制御するようになっているコントローラと，を備える。ＭＮＦＣＤは，上記コントローラに接続された位置データ取得モジュールを更に備える。上記コントローラは，上記の取得した位置データを用いて外部近距離通信デバイスと通信するために，ＭＮＦＣＤの運用モードを選択するように構成されている。
【００８０】
本発明の一例示実施例において上記コントローラは，上記多機能近距離通信デバイスの運用を，対応する標準の対応するプロトコルによる上記の対応する２以上の近距離通信データ形式間で比例値によって切り替えるために，対応する標準の対応するプロトコルによる上記の対応する２以上の近距離通信データ形式による通信の上記比例値を規定する上記多機能近距離通信デバイスの運用モードを選択するように構成される。
【００８１】
本発明の別の例示実施例においては，上記ＭＮＦＣＤは上記コントローラに接続された周波数検出モジュールを更に備える。この実施例において上記周波数検出モジュールは，対応する通信プロトコルのうち特定の１つを有するデバイスが用いる周波数を検出するように構成されている。ここで上記コントローラは，検出した周波数を用いて外部デバイスと通信するＭＮＦＣＤの上記運用モードを調整するように構成されている。
【００８２】
本発明のまた別の例示実施例においては，上記ＭＮＦＣＤは上記コントローラに接続されたセルラ電話機モジュールを更に備える。
【００８３】
以降本発明を添付の図面を参照して詳細に説明する。
【発明を実施するための最良の形態】
【００８４】
以降の詳細な説明において同一のコンポーネントは，それらが本発明の別の実施例において示されたものであっても，同一の参照番号を付している。本発明を明りょうかつ簡潔に図示するため，図面は必ずしも正確な縮尺ではなく，またある特徴はいくらか簡略な形態で示されるかも知れない。
【００８５】
図１は，本発明の一態様を実施する，対応する標準の対応するプロトコルによる２以上のデータ形式に対応するＭＮＦＣＤを運用する方法のフローチャートである。
【００８６】
フローチャートは，ＭＮＦＣＤの現在のコンテキストについてのコンテキスト情報を取得するステップ１００に始まり，上記の取得したコンテキスト情報を用いて外部デバイスと通信するＭＮＦＣＤの運用モードを選択するステップ１１０に続く。選択した運用モードにおいてデバイスは，上記の２以上の対応するデータ形式を用いて通信するために規定した比例値によって，その比例値を用いて上記２以上の対応するデータ形式，プロトコル又は標準の間で多機能近距離通信を切り替える（ステップ１２０）。
【００８７】
図２は本方法のより詳細な実施例を示す図であって，コンテキスト情報を取得するステップは，ＮＦＣ／ＲＦＩＤデバイスを能動的に探す手続を含む。図示した実施例においてデバイスは，ＦｅｌｉＣａ（登録商標）と，Ｍｉｆａｒｅ（登録商標）と，ＩＳＯ１４４４３と，ＮＦＣピア−ツ−ピア通信デバイスとの検索に成功している。すなわちコンテキスト情報を取得する上記のステップは，すべての種別の利用可能なＮＦＣ／ＲＦＩＤデバイスを検索するステップを含む。図示していないがＭＮＦＣＤは，ＦｅｌｉＣａ（登録商標）デバイスとＭｉｆａｒｅ（登録商標）デバイスとを２対５の比で発見したことが期待されている。したがってＭＮＦＣＤは，ＦｅｌｉＣａ（登録商標）データ交換プロトコルと，ＦｅｌｉＣａ（登録商標）標準とによるＦｅｌｉＣａ（登録商標）データ形式で，２つのコネクション設定操作を始める。そしてＭＮＦＣＤは，Ｍｉｆａｒｅ（登録商標）データ交換プロトコルと，Ｍｉｆａｒｅ（登録商標）標準とによるＭｉｆａｒｅ（登録商標）データ形式で，５つのコネクション設定操作を始める。そして方法はこれら２つのＦｅｌｉＣａ（登録商標）コネクション設定プロトコルと，５つのＭｉｆａｒｅ（登録商標）コネクション設定プロトコルとを交互に切り替える。
【００８８】
この方法においてＦｅｌｉＣａ（登録商標）コネクション設定手続は，遅延期間Ｄ３に続き，Ｍｉｆａｒｅ（登録商標）コネクション設定手続は，遅延期間Ｄ３に続く。これらの遅延期間長の選択は，方法がバッテリ電力節減を行う（長遅延期間）か，又はデータ交換速度を増加させる役割をする（短遅延期間又は遅延期間なし）。
【００８９】
図３Ａは，本発明の実施例による，対応する標準の対応するプロトコルによる２以上のデータ形式に対応するＭＮＦＣＤの簡略なブロック図である。ＭＮＦＣＤは，対応する標準の対応するプロトコルによる少なくとも２のデータ形式によって通信することができる通信モジュールを備え，通信モジュールは，アンテナ４４と，それぞれ上記アンテナ４４に接続した受信器及び送信器６２と，上記受信器及び上記送信器６２に接続し，上記受信器及び上記送信器を制御するようになっているコントローラ６４と，を備える。またＭＮＦＣＤは，コントローラ６４に接続したコンテキスト情報取得モジュール６６を備える。
【００９０】
コントローラ６４は，上記多機能近距離通信デバイスの運用を，対応する標準の対応するプロトコルによる上記の対応する２以上の近距離通信データ形式と，プロトコルと，標準との間で比例値によって切り替えるために，対応する標準の対応するプロトコルによる上記の対応する２以上の近距離通信データ形式と，プロトコルと，標準とによる通信の上記比例値を規定する上記多機能近距離通信デバイスの運用モードを選択するように構成される。
【００９１】
すなわちＭＮＦＣＤは，上記の運用モード選択及び上記比例値の基準として，コンテキスト情報を取得するように構成される。図示した実施例においては，コンテキスト情報取得モジュール６６がどの種類のコンテキスト情報を取得するかは開示していない。コンテキスト情報は，利用可能なＮＦＣ／ＲＦＩＤデバイスの数及び種別に相関があることが望ましい。
【００９２】
図３Ｂは，図３ＡのＭＮＦＣＤの簡略なブロック図であって，これは種々のプロトコルによって通信するために，コントローラの命令を維持するメモリモジュール６５も備える。またメモリモジュール６５は，プロトコルの選択のための規則又はアルゴリズムを記憶するデータベースとしても働く。
【００９３】
すなわちＭＮＦＣＤは，上記の運用モード選択及び上記比例値の基準としてコンテキスト情報を取得するように構成され，これらの取得した（１つのコンテキスト用の，又はいくつかの別のコンテキスト用の）コンテキスト情報を記憶することができる。図示した実施例には，どの種類のコンテキスト情報がコンテキスト情報取得モジュール６６によって取得され，メモリモジュール６５に記憶されるかは開示していない。コンテキスト情報は，１つのエリア内又はいくつかの別のエリア内で利用可能なＮＦＣ／ＲＦＩＤデバイスの数及び種別に相関があることが望ましい。
【００９４】
図４は，対応する標準の対応するプロトコルによる２以上のデータ形式に対応するＭＮＦＣＤの別の実施例の簡略なブロック図である。図４において，図３のデバイスはいくつかの追加コンポーネントによって拡張されている。図４において破線は，アンテナ４４と，受信器及び送信器６２と，コントローラ６４とを備える通信モジュール４５を示している。コントローラ６４はセルラ電話機モジュール９４に接続している。セルラ電話機モジュール９４は，例えば時間及び／又は位置情報のようなコンテキスト情報を，デバイスがセルラ電話ネットワークから取得することができるようにする。図４のデバイスはまた，多機能近距離通信機能を有するセルラ電話機と考えることができる。
【００９５】
図４はまた，（位置又は時間のような）いくつかのほかのパラメータに関連していくつかの別のＮＦＣ／ＲＦＩＤデバイスを記憶することができる履歴データベースを共になす記憶モジュール７０及び記録モジュール７２を示す。
【００９６】
ＭＮＦＣＤはまた，自分の位置を自分で測定できるように，例えばＧＰＳモジュール又はＵＭＴＳモジュールのような位置測定モジュール６８も備える。本発明の実施例によれば，位置は，経度と，緯度と，海抜高度と，には直接関連しないいくつかのパラメータによってだけ認識されるかも知れないことに注意されたい。
【００９７】
ＭＮＦＣＤはまた，ＮＦＣ／ＲＦＩＤデバイスが用いる特性背景ノイズ又は特定周波数のようなコンテキスト情報を認識するための周波数検出モジュール９０を備える。
【００９８】
コンテキスト情報取得モジュール６６は，例えば，「屋内」，「携行中」又は「屋外」の情報を示す信号を供給することができる温度センサとして実施することができる。
【００９９】
図４はまた，上記コントローラに接続されたＧＰＳナビゲーションモジュール９１を示す。ＧＰＳモジュール９１は，ＮＦＣ／ＲＦＩＤ多機能デバイスにナビゲーション能力を与えることができる。
【０１００】
図４のＮＦＣ／ＲＦＩＤ多機能デバイスはまた，上記コントローラに接続された支払いモジュール９２を備えてもよい。支払いモジュール９２は，ＮＦＣ／ＲＦＩＤ多機能デバイスを電子小銭入れ又は電子財布として用いるための能力を与えることができる。
【０１０１】
図５は，無線通信ネットワークのセル内にあるＮＦＣ／ＲＦＩＤデバイスの位置分布を示す簡略なブロック図である。図５は，位置又はＮＦＣ／ＲＦＩＤデバイス利用可能性テーブルとして働くことができるＭＮＦＣＤ内又は無線通信ネットワーク内に記憶された地図を示す。位置又はＮＦＣ／ＲＦＩＤデバイス利用可能性テーブルは，ＭＮＦＣＤがこのエリア又はセルにおいてどのＮＦＣ／ＲＦＩＤデバイスを利用できるかについて指示することができる。セルは，セルラ電話システムのセルであってもよいし，ほかの位置又はパラメータの組合せと解釈してもよい。
【０１０２】
図５においてセル１０１０１０は，３つのＦｅｌｉＣａ（登録商標）デバイス１３０と，３つのＭｉｆａｒｅ（登録商標）デバイスと，１つのＮＦＣピア−ツ−ピアデバイスと，を含む。セル１０１１１０は，ＦｅｌｉＣａ（登録商標）１３０，Ｍｉｆａｒｅ（登録商標）又はＮＦＣピア−ツ−ピアデバイスを含まない。この情報によってＭＮＦＣＤは，位置情報を用いて，どの種類のＮＦＣ／ＲＦＩＤデバイスが利用でき，どのデバイス又はサービス発見手続が有望か，を判定することができる。デバイスがセル１０１０１０にあるときは，３つすべての標準について通常の検索を行うことができる。一方デバイスがセル１０１１１１にあるときは，どの検索手続又はコネクション設定手続も省略することができ，そうでなければ存在しないＮＦＣ／ＲＦＩＤデバイスに対する役に立たない検索で浪費される電力を節約することができる。
【０１０３】
ＮＦＣ／ＲＦＩＤデバイス分布地図は，ネットワークの記憶コンポーネント１８６又はＭＮＦＣＤの記憶モジュール７０に記憶できることを特記することができる。
【０１０４】
図６は，接続されたＭＮＦＣＤへコンテキスト情報を供給することができる無線通信ネットワークの簡略なブロック図である。この無線通信ネットワークは，それぞれの無線基地局がサービスを提供する別々のセルを含む。無線基地局は，セル内のＭＮＦＣＤにコネクションを提供する無線インタフェースとして働く。無線基地局は接続されたＭＮＦＣＤを検出できる検出回路１８２に接続されている。ネットワークは，接続されたＭＮＦＣＤの位置を測定する測定回路１８４を備える。測定回路１８４は，例えばＧＳＭセルラ電話ネットワークの例えば帰属位置レジスタ，又は在圏位置レジスタによって実施することができる。どのセル（無線基地局）において対応するＭＮＦＣＤがネットワークに接続されるかについての情報に依存することもできる。
【０１０５】
ネットワークはまた，別々の位置に関係するコンテキスト情報を，例えば図５に示したＮＦＣ／ＲＦＩＤデバイス分布地図の形態で記憶するために，記憶コンポーネント１８６を備える。
【０１０６】
ある位置セルにおいてどの種類のＮＦＣ／ＲＦＩＤデバイスが実際に利用可能かについてのコンテキスト情報は，次に転送ユニットによって（例えば無線基地局によって）これらセル内のＭＮＦＣＤに転送される。
【０１０７】
検出コンポーネントと，測定コンポーネントと，記憶コンポーネントとは，各無線基地局内の対応するコンポーネントによって，分散ソリューションとして実装することもできる。各セル内にあるＮＦＣ／ＲＦＩＤデバイスの数は少ないことが予想されるので，これはセルラ電話ネットワークにおいて本発明を実施する簡単な方法である。
【０１０８】
図７は，本発明の方法の実施例のフロー図である。この方法は位置情報を含むコンテキスト情報を取得するステップ（ステップ２００）で始まり，コンテキスト情報を用いて近距離通信モジュールの運用モードを選択するステップ（ステップ２１０）に続く。そして近距離通信モジュールが活性化され，選択した運用モードの特性によって運用される（ステップ２２０）。近距離通信モジュールの運用中，通信モジュールの動作に応答して上記近距離通信モジュールを介して通信が受信される（ステップ２３０）。受信した通信が解析され（ステップ２４０），この分析を用いて選択した運用モードの特性が環境特性によく適合するように調整される（ステップ２５０）。
【０１０９】
図８は，本発明の方法の実施例と，上記の２以上の対応するデータ形式によって通信するための比例値の利用例と，を示すもう１つのフロー図である。
【０１１０】
本発明の種々の実施例による一般思想は，近距離通信モジュールの運用を，少なくとも次に掲げる基準によって対応する近距離通信プロトコル間で切り替えることである。
１）少なくとも位置情報を含む端末のコンテキスト
２）ＲＦＩＤリーダの動作範囲内にある検出されたＲＦＩＤデバイスから受信した応答
【０１１１】
したがって本発明の実施例によれば，ＭＮＦＣＤにおいて上述の情報を用いて種々の対応する近距離通信プロトコル間を切り替えるために，近距離通信モジュールの運用を制御するアルゴリズムを実現することができる。
【０１１２】
図８は最初のボックス３００において，近距離通信デバイスの初期選択用の９つの初期運用モードを示す。明りょうにするために，２つの近距離通信データ形式と，プロトコルと，標準とだけを示す。これらのモードは，ＦｅｌｉＣａ（登録商標）はＦ，Ｍｉｆａｒｅ（登録商標）はＭと名付ける。初期運用モードは，Ｆ対Ｍの比例値，１：５，１：１０，０：１，１：１，２：３，３：２，５：１，１０：１，１：０を含む。式Ｘ：Ｙは比と考え，除算ではないことに注意されたい（零による除算を避けるため）。追加の初期運用モードはＦ：Ｍ：Ｄが２：３：２として示されており，ここでＤは遅延期間を表す。この初期運用モードは，遅延期間中に近距離通信モジュールにおいてエネルギを更に節約するために用いることができる。各遅延長は，同調期間などのような追加のパラメータに依存するかも知れないので，正確に規定する必要はない。しかし遅延期間Ｄは，少なくともＭｉｆａｒｅ（登録商標）又はＦｅｌｉＣａ（登録商標）の通信設定，又は例えばサービス発見手続の長さであることが望ましい。
【０１１３】
本発明の実施例によれば，第１ステップにおいて受信したコンテキストデータすなわちコンテキスト情報によって，運用モードＦ：Ｍ  ２：３が選択される（ステップ３１０）。この例において端末は，５０ｍｓごとに問い合わせ信号を送信し，位置情報を用いて端末はＦ：Ｍ  ２：３モードを選択する。このモードは，運用が３回のＭｉｆａｒｅ（登録商標）走査に対して２回のＦｅｌｉＣａ（登録商標）走査を含む規則を有する。したがって走査運用は次のとおりとなる。
Ｆ＿Ｆ＿Ｍ＿Ｍ＿Ｍ＿Ｆ＿Ｆ＿Ｍ＿Ｍ＿Ｍ＿Ｆ＿Ｆ＿Ｍ＿Ｍ＿Ｍ＿Ｆ＿Ｆ＿Ｍ＿Ｍ＿Ｍ＿Ｆ＿・・・
【０１１４】
一定時間後，近距離通信モジュールが運用モードＦ：Ｍ  ２：３によって動作しているとき，ＮＦＣ／ＲＦＩＤモジュールにおいて，運用モードＦ：Ｍ  ３：２の方が実際の環境により適合できることを示す通信が検出される。したがって，対応するモード変更コマンドがデバイスコントローラによって供給されて，近距離通信モジュールの運用を環境特性によって適応させる。それで走査運用は次のとおりになる。
Ｆ＿Ｆ＿Ｆ＿Ｍ＿Ｍ＿Ｆ＿Ｆ＿Ｆ＿Ｍ＿Ｍ＿Ｆ＿Ｆ＿Ｆ＿Ｍ＿Ｍ＿Ｆ＿Ｆ＿Ｆ＿Ｍ＿Ｍ＿Ｆ＿Ｆ＿Ｆ＿Ｍ＿・・・
【０１１５】
更なる時間の後，環境特性が更に評価され，図８に示す実施例によって運用モードＦ：Ｍ  ３：２を維持する判断がなされる。
【０１１６】
代替の仮想的実施例によれば，デバイスがいくつかのＭｉｆａｒｅ（登録商標）タグ又はデバイスを検出し，ＦｅｌｉＣａ（登録商標）タグ又はデバイスはもはやないことが掲出されたかもしれず，それで運用はＦ：Ｍ  １：１５に変更され，次のとおりとなる。
Ｆ＿Ｍ＿Ｍ＿Ｍ＿Ｍ＿Ｍ＿Ｍ＿Ｍ＿Ｍ＿Ｍ＿Ｍ＿Ｍ＿Ｍ＿Ｍ＿Ｍ＿Ｍ＿Ｆ＿Ｍ＿Ｍ＿Ｍ＿Ｍ＿Ｍ＿Ｍ＿Ｍ＿Ｍ＿Ｍ＿・・・
【０１１７】
この運用の調整は，近距離通信モジュールが活性である間ずっと継続することができ，この情報は，本発明の実施例によって特定の位置に関する履歴情報を生成するために用いることができ，その情報は後に，その位置に最適な運用モードを選択するために用いることができる。
【０１１８】
走査を減少させたことによるバッテリ電力の節約と，不必要な走査が行われないことによって速い応答ができる可能性のような本発明のすべての利点は，維持する必要があり，プロセッサ及びメモリ容量を必要とするデータベースを提供するという代償によって達成できる。
【０１１９】
本発明を実施することによって達成することができる別の利点は，電力消費と応答性との非常によい関係が達成できるということである。本発明は，ユーザ対話を必要とすることなく自動かつ正確な制御で用いることができる。本発明はまた，自己維持システムとして実現することができる。これらの利点は，無線通信ネットワークの対応する基盤設備の拡張によって達成できる。
【０１２０】
この出願は，例に助けを借りた本発明の実現例及び実施例の説明を含んでいる。当業者であれば，本発明は上述の実施例の詳細に制約されることなく，本発明の特性から逸脱することなく，別の形態で実現することもできることを理解するであろう。上述の実施例は，例示的であり，制約的ではないととらえることが望ましい。このように本発明の実現及び利用の可能性は，本願の請求項によってだけ制約される。したがって，均等な実現例を含む，各請求項によって決定される本発明を実現する種々の選択肢もまた，本発明の範囲に属すものである。
【図面の簡単な説明】
【０１２１】
【図１】本発明の態様を実施する，対応する標準の対応するプロトコルによる２以上のデータ形式に対応する多機能近距離通信デバイスを運用する方法のフローチャートである。
【図２】本発明の実施例によるコネクション要素の数を増加させた記憶カードの簡略なブロック図である。
【図３Ａ】本発明の実施例による対応する標準の対応するプロトコルによる２以上のデータ形式に対応する多機能近距離通信デバイスの簡略なブロック図である。
【図３Ｂ】本発明の実施例による対応する標準の対応するプロトコルによる２以上のデータ形式に対応する多機能近距離通信デバイスの簡略なブロック図である。
【図４】本発明の実施例による対応する標準の対応するプロトコルによる２以上のデータ形式に対応する多機能近距離通信デバイスの別の実施例の簡略なブロック図である。
【図５】無線通信ネットワークのセルにあるＮＦＣ／ＲＦＩＤデバイスの位置分布の簡略なブロック図である。
【図６】接続された多機能近距離通信デバイスへコンテキスト情報を供給することができる無線通信ネットワークの簡略なブロック図である。
【図７】本発明の方法の実施例のフロー図である。
【図８】本発明の方法の実施例と，上記の２以上の対応するデータ形式によって通信するための比例値の利用例と，を示すもう１つのフロー図である。
【図１】
2009501990.tif 000003
【図２】
2009501990.tif 000004
【図３Ａ】
2009501990.tif 000005
【図３Ｂ】
2009501990.tif 000006
【図４】
2009501990.tif 000007
【図５】
2009501990.tif 000008
【図６】
2009501990.tif 000009
【図７】
2009501990.tif 000010
【図８】
2009501990.tif 000011
【手続補正書】
【提出日】平成20年2月22日(2008.2.22)
【手続補正１】
【補正対象書類名】特許請求の範囲
【補正対象項目名】全文
【補正方法】変更
【補正の内容】
【特許請求の範囲】
【請求項１】
対応する標準の対応するプロトコルによる２以上の近距離通信データ形式に対応する多機能近距離通信デバイスを運用する方法であって，
前記多機能近距離通信デバイスのコンテキストに関するコンテキスト情報を取得するステップと，
前記の取得したコンテキスト情報を用いて，外部近距離通信デバイスと通信する前記多機能近距離通信デバイスの運用モードを選択するステップと，
を有し，
前記多機能近距離通信デバイスの運用を，対応する標準の対応するプロトコルによる前記の対応する２以上の近距離通信データ形式間で比例値によって切り替えるために，前記の選択した運用モードが，対応する標準の対応するプロトコルによる前記の対応する２以上の近距離通信データ形式による通信の前記比例値を規定する方法。
【請求項２】
更新コンテキスト情報を取得するステップと，前記の取得した更新コンテキスト情報を用いて，外部デバイスと通信する前記多機能近距離通信デバイスの前記運用モードを調整するステップと，を更に有する請求項１に記載の多機能近距離通信デバイスを運用する方法。
【請求項３】
前記更新コンテキスト情報を，引き続く処理によって取得する請求項２に記載の多機能近距離通信デバイスを運用する方法。
【請求項４】
前記コンテキスト情報は，前記の対応する通信プロトコルのうち特定の１つを用いて検出したデバイスの周波数を用いて取得することを特徴とする請求項１〜３のいずれか一項に記載の多機能近距離通信デバイスを運用する方法。
【請求項５】
前記コンテキスト情報は，適応期間中に取得され，該期間中にすべての通知したターゲット種別が記録されることを特徴とする請求項１〜４のいずれか一項に記載の多機能近距離通信デバイスを運用する方法。
【請求項６】
前記コンテキスト情報は，位置情報を用いて取得する請求項１〜５のいずれか一項に記載の多機能近距離通信デバイスを運用する方法。
【請求項７】
前記コンテキスト情報は，履歴情報を用いて取得することを特徴とする請求項１〜６のいずれか一項に記載の多機能近距離通信デバイスを運用する方法。
【請求項８】
前記のコンテキスト情報の取得ステップは，無線通信ネットワークから受信したコンテキスト情報を用いることを特徴とする請求項１〜７のいずれか一項に記載の多機能近距離通信デバイスを運用する方法。
【請求項９】
前記の無線通信ネットワークからコンテキスト情報を受信するステップは，
前記無線通信ネットワークへコネクションを設定するステップと，
前記コンテキスト情報を受信するステップと，
を有することを特徴とする請求項８に記載の方法。
【請求項１０】
前記通信ネットワークへコンテキスト情報要求を送信するステップを更に有し，前記の受信したコンテキスト情報は前記の要求したコンテキスト情報とすることを特徴とする請求項９に記載の方法。
【請求項１１】
無線通信ネットワークに取得したコンテキスト情報を送信するステップを更に有する請求項１〜１０のいずれか一項に記載の方法。
【請求項１２】
コンテキスト情報は，請求項４〜１１に記載の少なくとも２つの異なる前記コンテキスト情報を取得する方法の組合せによって取得することを特徴とする多機能近距離通信デバイスを運用する方法。
【請求項１３】
無線通信ネットワークに接続した多機能近距離通信デバイスにコンテキスト情報を供給する方法であって，
前記通信ネットワークに接続した多機能近距離通信デバイスを検出するステップと，
前記多機能近距離通信デバイスの測定した位置を少なくとも用いて，前記多機能近距離通信デバイスへコンテキスト情報を送信するステップと，
を有する方法。
【請求項１４】
前記通信ネットワークにおいてコンテキスト情報要求を受信するステップを更に有する請求項１３に記載の方法。
【請求項１５】
無線通信ネットワークと多機能近距離通信デバイスとの間でコンテキスト情報を交換する方法であって，請求項８〜１２，１３又は１４のいずれか一項のステップを少なくとも有することを特徴とする方法。
【請求項１６】
対応する標準の対応するプロトコルによる２以上の近距離通信データ形式に対応する多機能近距離通信デバイスを運用する方法であって，
前記多機能近距離通信デバイスの位置に関する位置データを取得するステップと，
前記の取得した位置データを用いて，外部近距離通信デバイスと通信する前記多機能近距離通信デバイスの運用モードを選択するステップと，
を有する方法。
【請求項１７】
前記多機能近距離通信デバイスの運用を，対応する標準の対応するプロトコルによる前記の対応する２以上の近距離通信データ形式間で比例値によって切り替えるために，前記の選択した運用モードが，対応する標準の対応するプロトコルによる前記の対応する２以上の近距離通信データ形式による通信の前記比例値を規定する請求項１６に記載の方法。
【請求項１８】
前記の対応する通信プロトコルのうち特定の１つを有するデバイスが用いる周波数を検出するステップと，
前記周波数を検出するステップを用いて，外部デバイスと通信する前記多機能近距離通信デバイスの前記運用モードを調整するステップと，
を特徴とする請求項１６又は１７に記載の方法。
【請求項１９】
取得した前記位置情報と，前記の選択した運用モードとを記録することを特徴とする請求項１６〜１８のいずれか一項に記載の方法。
【請求項２０】
選択可能インタフェースを有する記憶カードのインタフェースのコネクション要素を選択することができる方法を実行する計算機プログラムであって，選択可能インタフェースを有する記憶カードのコントローラ上で運用したとき請求項１〜１９のいずれか一項に記載のステップを実行する機械可読媒体上に記憶されたプログラムコード部を有する計算機プログラム。
【請求項２１】
対応する標準の対応するプロトコルによる２以上の近距離通信データ形式に対応する多機能近距離通信デバイスを運用することができる方法を実行することができるソフトウェア実装手段であって，多機能近距離通信デバイスを運用させるコントローラ上で実行する計算機プログラムによって実現したとき，請求項１〜１９のいずれか一項に記載の運用を実行するソフトウェア実装手段。
【請求項２２】
搬送波内に埋め込まれたデータ信号によって搬送される計算機プログラムであって，多機能近距離通信デバイスが実行したとき請求項１〜１９のいずれか一項に記載のステップを実行する命令を表す計算機プログラム。
【請求項２３】
選択可能インタフェースを有する記憶カードのインタフェースのコネクション要素を選択することができる方法を実行する計算機プログラムであって，選択可能インタフェースを有する記憶カードのコントローラ上で運用したとき請求項１６〜１９のいずれか一項に記載のステップを実行する機械可読媒体上に記憶されたプログラムコード部を有する計算機プログラム。
【請求項２４】
対応する標準の対応するプロトコルによる２以上の近距離通信データ形式に対応する多機能近距離通信デバイスを運用することができる方法を実行することができるソフトウェア実装手段であって，多機能近距離通信デバイスを運用させるコントローラ上で実行する計算機プログラムによって実現したとき，請求項１６〜１９のいずれか一項に記載の運用を実行するソフトウェア実装手段。
【請求項２５】
搬送波内に埋め込まれたデータ信号によって搬送される計算機プログラムであって，多機能近距離通信デバイスが実行したとき請求項１６〜１９のいずれか一項に記載のステップを実行する命令を表す計算機プログラム。
【請求項２６】
多機能近距離通信デバイスであって，
対応する標準の対応するプロトコルによる少なくとも２つの近距離通信データ形式によって通信できる近距離通信モジュールであって，
アンテナと，
前記アンテナにそれぞれ接続した受信器及び送信器と，
前記受信器及び前記送信器に接続し，前記受信器及び前記送信器を制御するようにしたコントローラと，
を備えたモジュールと，
前記コントローラに接続したコンテキスト情報取得モジュールと，
を備え，
前記コントローラは，前記多機能近距離通信デバイスの運用を，対応する標準の対応するプロトコルによる前記の対応する２以上の近距離通信データ形式間で比例値によって切り替えるために，対応する標準の対応するプロトコルによる前記の対応する２以上の近距離通信データ形式による通信の前記比例値を規定する前記多機能近距離通信デバイスの運用モードを選択するように構成するデバイス。
【請求項２７】
前記コントローラに接続したセルラ電話機モジュールを更に備える請求項２６に記載の多機能近距離通信デバイス。
【請求項２８】
記憶モジュールを更に備える請求項２６又は２７に記載の多機能近距離通信デバイス。
【請求項２９】
前記記憶モジュール内に履歴情報を記憶するための，前記記憶モジュール及び前記コントローラに接続した記録モジュールを備えることを特徴とする請求項２８に記載の多機能近距離通信デバイス。
【請求項３０】
前記コンテキスト情報取得モジュールは，位置測定モジュールに接続している請求項２６〜２９のいずれか一項に記載の多機能近距離通信デバイス。
【請求項３１】
前記コントローラに接続した周波数検出モジュールを更に備える請求項２６〜３０のいずれか一項に記載の多機能近距離通信デバイス。
【請求項３２】
前記コントローラに接続した無線通信ネットワークモジュールを更に備える請求項２６〜３１のいずれか一項に記載の多機能近距離通信デバイス。
【請求項３３】
前記コントローラに接続したＧＰＳナビゲーションモジュールを更に備える請求項２６〜３２のいずれか一項に記載の多機能近距離通信デバイス。
【請求項３４】
前記コントローラに接続した支払いモジュールを更に備える請求項２６〜３３のいずれか一項に記載の多機能近距離通信デバイス。
【請求項３５】
接続した多機能近距離通信デバイスにコンテキスト情報を供給する無線通信ネットワークであって，
多機能近距離通信デバイスにコネクションを提供する無線インタフェースと，
接続された多機能近距離通信デバイスを検出する手段と，
接続された多機能近距離通信デバイスの位置を測定する手段と，
種々の位置に関連するコンテキスト情報を記憶する記憶コンポーネントと，
接続された多機能近距離通信デバイスの測定した位置に関連するコンテキスト情報をこれらのデバイスに転送する転送ユニットと，
を備える無線通信ネットワーク。
【請求項３６】
無線通信ネットワークに接続した多機能近距離通信デバイスにコンテキスト情報を供給するシステムであって，
請求項２６〜３４のいずれか一項に記載の多機能近距離通信デバイスと，
請求項３５に記載の無線通信ネットワークと，
を備えるシステム。
【請求項３７】
多機能近距離通信デバイスであって，
対応する標準の対応するプロトコルによる少なくとも２つの近距離通信データ形式によって通信できる近距離通信モジュールであって，
アンテナと，
前記アンテナにそれぞれ接続した受信器及び送信器と，
前記受信器及び前記送信器に接続し，前記受信器及び前記送信器を制御するようにしたコントローラと，
を備えたモジュールと，
前記コントローラに接続した位置データ取得モジュールと，
を備え，
前記コントローラは，前記の取得した位置データを用いて外部近距離通信デバイスと通信する前記多機能近距離通信デバイスの運用モードを選択するように構成するデバイス。
【請求項３８】
前記コントローラは，前記多機能近距離通信デバイスの運用を，対応する標準の対応するプロトコルによる前記の対応する２以上の近距離通信データ形式間で比例値によって切り替えるために，対応する標準の対応するプロトコルによる前記の対応する２以上の近距離通信データ形式による通信の前記比例値を規定する前記多機能近距離通信デバイスの運用モードを選択するように構成する請求項３７に記載の多機能近距離通信デバイス。
【請求項３９】
前記コントローラに接続した周波数検出モジュールを更に備え，
前記周波数検出モジュールは，前記の対応する通信プロトコルのうち特定の１つを有するデバイスが用いる周波数を検出するように構成し，前記コントローラは検出した周波数を用いて，外部デバイスと通信する前記多機能近距離通信デバイスの前記運用モードを調整するように構成する請求項３７又は３８に記載の多機能近距離通信デバイス。
【請求項４０】
前記コントローラに接続したセルラ電話機モジュールを更に備える請求項３７〜３９のいずれか一項に記載の多機能近距離通信デバイス。
【請求項４１】
対応する標準の対応するプロトコルによる２以上の近距離通信データ形式に対応するデバイスであって，
前記デバイスのコンテキストに関するコンテキスト情報を取得する手段と，
前記の取得したコンテキスト情報を用いて外部デバイスと通信する前記デバイスの運用モードを選択する手段と，
を備え，
前記デバイスの運用を，対応する標準の対応するプロトコルによる前記の対応する２以上の近距離通信データ形式間で比例値によって切り替えるために，前記の選択した運用モードが，対応する標準の対応するプロトコルによる前記の対応する２以上の近距離通信データ形式による通信の前記比例値を規定するデバイス。
【請求項４２】
対応する標準の対応するプロトコルによる２以上の近距離通信データ形式に対応するデバイスであって，
前記デバイスの位置に関する位置データを取得する手段と，
前記の取得した位置データを用いて，外部近距離通信デバイスと通信する前記デバイスの運用モードを選択する手段と，
を備えるデバイス。
【国際調査報告】
2009501990.tif 000012
2009501990.tif 000013
2009501990.tif 000014
2009501990.tif 000015